(57)【要約】【課題】本考案の目的は、大きさの異なる袋に対しても対応可能とすること、収納・保管に際して至便な折畳機構を備えた開口具を提供することである。【解決手段】袋の内空に挿入し開口状態に保持する開口具において、少なくとも２本の、左右両端で対をなす縦杆と、該対をなす縦杆を連結する少なくとも１本の連結杆からなる枠体の左右両端に、翼枠連結杆、翼枠縦杆を設けて開閉可能な翼枠を形成したことを特徴とする開口具であって、  好ましくは、枠を構成する連結杆として、中央付近で折曲げ可能、伸縮可能な構造としたことを特徴とする開口具である。【選択図】  図１
0003112053.tif 000002
【実用新案登録請求の範囲】
【請求項１】
袋の内空に挿入し開口状態に保持する開口具において、
少なくとも２本の、左右両端で対をなす縦杆と、該対をなす縦杆を連結する少なくとも１本の連結杆からなる枠体の左右両端に、
開閉可能な翼枠を設けたことを特徴とする開口具。
【請求項２】
請求項１の開口具おいて、枠を構成する連結杆として、中央付近で折曲げ可能な構造としたことを特徴とする開口具。
【請求項３】
請求項１の開口具において、枠を構成する連結杆は、内径の異なる２本の管であり、かつ中央付近で嵌合する伸縮可能な構造であることを特徴とする開口具。
【請求項４】
請求項１の開口具において、開口した袋を把持するため、紐により連結杆に連なるクリップが追加されていることを特徴とする開口具。
【請求項５】
請求項１の開口具において、開口した袋を把持するため、連結杆と縦杆の連結部に、袋の端を把持のための突起を設けたことを特徴とする開口具。
【請求項６】
請求項１の開口具において、翼枠を構成する連結杆が内径の異なる２本の管であり、かつ中央付近で嵌合する伸縮可能な構造であることを特徴とする開口具。
【考案の詳細な説明】
【技術分野】
【０００１】
本考案は、ごみなどを袋に入れやすくするため、袋を開口した状態に保持するための開口具に関する。
【背景技術】
【０００２】
従来、ごみを収納するため、ごみ箱が広く使用されてきた。しかし、ごみ箱からごみを袋に詰め替える手間がかかるため、ごみ箱の内部に袋を入れて使用し、ごみをごみ箱から取出し廃棄する時は、袋と共に取り出すことが広く行われている。このようにごみをごみ箱への投入から、直接ごみ用袋に投入することが一般的になっている。その際、袋はそれ自体の姿勢保持能力が低いことから何らかの補助を得て開口姿勢を保持する必要がある。そのため、袋の内部に開口具を入れ、開口状態を保持して、ごみ箱などとして利用する試みがなされている。
【０００３】
従来、袋の内部に開口具を入れ、開口状態に保持した袋として、線材からなり、正面では下方が開放された末広がりの台形をなし、側面では上方が開放された台形をなすように屈曲成形した保持具を挿入した容器（特許文献１）が公知である。しかしこの方法では、保持具は、使用しないとき嵩張り、わが国の住宅事情から難点がある。また別の公知例として、弾性のある２本の細い棒を平行に並べて、その中央部分を２本の細い棒で接続したポリ袋用スタンド（特許文献２）が公知である。しかしこの方法の場合、２本の細い棒の先端で袋の下側を広げるため、袋の形状が崩れる欠点があるし、２本の細い棒の弾性が適切でないと、袋が開口し難いし、２本の細い棒の先に力がかかり、袋が変形しやすい欠点がある。
【０００４】
【特許文献１】実願昭５０−５７７４８号公報
【特許文献２】実願昭５７−９０８６５号公報
【考案の開示】
【考案が解決しようとする課題】
【０００５】
そこで、本考案の目的は、大きさの異なる袋に対しても対応可能とすること、収納・保管に際して至便な折畳機構を備えた開口具を提供することである。
【課題を解決するための手段】
【０００６】
本考案は、
（１）  袋の内空に挿入し開口状態に保持する開口具において、
少なくとも２本の、左右両端で対をなす縦杆と、該対をなす縦杆を連結する少なくとも１本の連結杆からなる枠体の左右両端に、
開閉可能な翼枠を設けたことを特徴とする、
（２）（１）の開口具おいて、枠を構成する連結杆として、中央付近で折曲げ可能な構造としたことを特徴とする、
（３）（１）の開口具において、枠を構成する連結杆は、内径の異なる２本の管であり、かつ中央付近で嵌合する伸縮可能な構造であることを特徴とする、
（４）（１）の開口具において、開口した袋を把持するため、紐により連結杆に連なるクリップが追加されていることを特徴とする、
（５）  （１）の開口具において、開口した袋を把持するため、連結杆と縦杆の連結部に、袋の端を把持のための突起を設けたことを特徴とする、
（６）  （１）の開口具において、翼枠を構成する連結杆が内径の異なる２本の管であり、かつ中央付近で嵌合する伸縮可能な構造であることを特徴とする。
【０００７】
本考案においては、左右両端で対をなす縦杆と、該対をなす縦杆を連結する少なくとも１本からなる連結杆により、枠体を形成している。該枠体の両端の縦杆の位置に翼枠を形成する。該翼枠の縦杆は、枠体の両端の縦杆と共有することにより、枠体と翼枠は接合している。そして、翼枠は、開閉可能であり、袋の内空に挿入して開口具として使用しているときは、上部から見たとき、図３に示す如く、コの字型の形状となっている。開口具として使用しないときは、図３に示す如くコンパクトに折畳むことが可能となる。
【０００８】
ここで、翼枠を開閉可能とする方法としては、従来より広く採用されている方法をあげることができる。例えば、縦杆と連結杆は連結具を利用して連結する。この場合、連結具の内径は、縦杆の外径より大きく、連結具の中に縦杆を通すとき、縦杆は、自由な回転が可能となる。なお、連結具の内径より大きな外径の位置決め具を、縦杆の所定の位置に設置すれば、連結具の位置を決めるため縦杆の所定の位置に、連結杆を設定することが可能となる。
【０００９】
また本考案においては、枠体の連結杆を伸縮可能としたり、折曲げたりして長さを調整することもできる。さらに、翼枠を構成する連結杆が内径の異なる２本の管であり、かつ中央付近で嵌合する伸縮可能な構造とすることにより翼枠の大きさも調整することができる。
【００１０】
本考案で、袋を保持するため、クリップ使用したり、連結杆と縦杆の連結部に、袋の端を把持のための突起を設けたりすることができる。
また、本考案で使用される袋は、ポリエチレン、ポリプロピレンなどのプラスチックスからなる袋や、ナイロン、ポリエステル、麻などの繊維の編織物からなる袋をあげることができる。
【００１１】
本考案において、枠体や、翼枠を構成する材料は、ステンレス等の金属材料、ポリプロピレン等のプラスチックス、木材、竹等の天然材料、ゴムなどの弾性材料をあげることができる。
【考案を実施するための最良の形態】
【００１２】
本考案の開口具は、枠体と該枠体の両端に形成された翼枠から形成されている。そして、枠体は縦杆１と連結杆２から形成され、翼枠は、翼枠縦杆３、翼枠連結杆４及び縦杆１から構成されている。
以下に、本考案の具体的な構成について、図面を参照しながら説明する。
図１は、左右両端で対をなす縦杆１と連結杆２とからなる枠体の両端に、翼枠連結杆４、翼枠縦杆３を設けて、開閉可能な翼枠を形成し、さらに袋６保持のため、クリップ５を使用した開口具の斜視図である。
縦杆１と連結杆２は連結具９を利用して回動自在に連結されている。この場合、連結具９の内径は、縦杆１の外径より大きく、連結具９の内空に縦杆１を通すとき、縦杆１は、回転が可能となる。なお、連結具９の内径より大きな外径の抜止め１２を縦杆１の所定の位置に取り付ければ、連結具９の位置を、縦杆１の希望する位置に、設置することが可能となる。
図２は、開口具の縦杆連結部９付近の一部切欠図である。連結具９の内空に縦杆１が貫通しており、抜止め１２により、連結具９の位置決めを行っている。なお、翼枠連結杆４は曲管１３、１３を介して固着しており、縦杆１と翼枠連結杆４及び翼枠縦杆３は、一体となって縦杆１を支点として回転し、開閉することになる。図３は、開口具の平面図であり、翼枠連結杆４が開閉することが可能であることを示している。
図４は、図１の曲管１３の代わりにＴ字管１４を使用し、クリップ５の代わりに、突起７を使用して袋６を保持している開口具の斜視図である。
【００１３】
図５は、連結杆２の中央部において、折り畳む時の、連結杆中央部分の部分斜視図である。中央部において分断した連結杆２の各々の対峙面を、各々先端を押圧しカシメピン１１で回転可能なごとく連結すれば、連結杆２を二つに折畳むことが可能となる。なお、回転を行わないときは連結杆カバー１０をカシメピン１１の位置に移動させればよい。
【００１４】
図６は、連結杆２を軸方向に伸縮する実施例であり、連結杆２の中央部分の部分斜視図である。径の異なる２本の連結杆２を嵌合し伸縮することにより連結杆２の寸法を変化させることが可能となる。なお、伸縮操作により所望の位置に決めるには例えば折畳傘のシャフトに用いている如き従来公知の手段で行うことが可能となる。翼枠連結杆４についても、同様の方式により寸法を変化することが可能であり、翼枠の寸法を変化することが可能となる。
【００１５】
以上の説明で明らかにした様に、本考案による開口具によれば以下に列記したような実用上の優れた効果が得られる。
（ａ）本考案の開口具は、翼枠を開閉可能であり、コンパクトに折畳むことが可能であるため、収納に便利であり、運搬時に嵩張らない。
（ｂ）連結杆、翼枠を伸縮が可能であり、この場合は、袋の寸法が多少変動しても対応可能である。このため、包装などで使用されている広範囲の袋を捨てることなく利用できる。
（ｃ）本考案の開口具は、随時必要なときのみ設置するごみ箱として使用でき、必要で無くなったときは折畳んで収納することができる。
【図面の簡単な説明】
【００１６】
【図１】左右両端で対をなす縦杆と連結杆とからなる枠体の両端に、翼枠連結杆、翼枠縦杆を設けて、開閉可能な翼枠を形成し、さらに袋保持のため、クリップを使用した開口具の斜視図である。
【図２】開口具の縦杆連結部９付近の一部切欠図である。
【図３】開口具の平面図である
【図４】図１の曲管の代わりにＴ字管を使用し、クリップの代わりに、突起を使用して袋を保持している開口具の斜視図である。
【図５】連結杆の回転により折畳む方法の時の、連結杆中央部分の部分斜視図である。
【図６】連結杆を軸方向に伸縮する実施例であり、連結杆中央部分の部分斜視図である。
【符号の説明】
【００１７】
１      縦杆
２      連結杆
３      翼枠縦杆
４      翼枠連結杆
５      クリップ
６      袋
７      突起
８      紐
９      縦杆連結部
１０    連結杆カバー
１１    カシメピン
１２    抜止め
１３    曲管
１４    Ｔ字管
【図１】
0003112053.tif 000003
【図２】
0003112053.tif 000004
【図３】
0003112053.tif 000005
【図４】
0003112053.tif 000006
【図５】
0003112053.tif 000007
【図６】
0003112053.tif 000008